(57)【要約】【課題】  部品点数を低減でき、コスト安となり、スイッチング素子を多数備える構成のスイッチング電源等へ好ましく適用できるスナバ回路を提供すること【解決手段】  ２つのスイッチング素子Ｓ１，Ｓ２はトランスＴの１次側の各端へそれぞれ接続して対をなし、トランスＴの１次側の中央端子（コモン端子）は回路電源Ｖccへ接続させ、スイッチング素子Ｓ１，Ｓ２を交互にオン・オフ動作させるプッシュプル回路において、２つの抵抗Ｒ１，Ｒ２と１つのコンデンサＣとを備えて、当該３つの回路素子は１つの接続点から３方へ延びるスター接続に接続するとともに、抵抗Ｒ１，Ｒ２の他端をスイッチング素子Ｓ１，Ｓ２の負荷側へそれぞれ連結し、コンデンサＣの他端をトランスＴの１次側のコモン端子へ連結する。２つのスイッチング素子それぞれの側から見てＲＣスナバ回路になり、両者で１つのコンデンサを共有して使うことになる。【選択図】  図１
2010206935.tif 000002
【特許請求の範囲】
【請求項１】
２つのスイッチング素子を対にして誘導性負荷へ接続して交互にオン・オフ動作させるプッシュプル回路における当該スイッチング素子のスイッチング動作に伴うサージ電圧を抑制するためのスナバ回路であって、
２つの抵抗と１つのコンデンサとを備えて当該３つの回路素子は１つの接続点から３方へ延びるスター接続に接続するとともに、前記抵抗の他端を前記スイッチング素子の負荷側へそれぞれ連結し、前記コンデンサの他端を前記誘導性負荷のコモン端子へ連結することを特徴とするスナバ回路。
【請求項２】
２つのスイッチング素子を対にして誘導性負荷へ接続して交互にオン・オフ動作させるプッシュプル回路における当該スイッチング素子のスイッチング動作に伴うサージ電圧を抑制するためのスナバ回路であって、
２つのコンデンサと１つの抵抗とを備えて当該３つの回路素子は１つの接続点から３方へ延びるスター接続に接続するとともに、前記コンデンサの他端を前記スイッチング素子の負荷側へそれぞれ連結し、前記抵抗の他端を前記誘導性負荷のコモン端子へ連結することを特徴とするスナバ回路。
【請求項３】
２つのスイッチング素子を対にして誘導性負荷へ接続して交互にオン・オフ動作させるプッシュプル回路において、
請求項１または２に記載のスナバ回路を備えたことを特徴とするプッシュプル回路。
【発明の詳細な説明】
【技術分野】
【０００１】
本発明は、スイッチング素子のスイッチング動作に伴うサージ電圧を抑制するためのスナバ回路及びプッシュプル回路に関するもので、より具体的には、２つのスイッチング素子を対にして交互に駆動させるプッシュプル回路における構成の改良に関する。
【背景技術】
【０００２】
スイッチング素子に接続した負荷がモータやトランス等の誘導性負荷となる回路では、スイッチング動作に伴ってサージ電圧が発生し、サージ電圧はスイッチング素子に対するストレスを増大し、当該回路が生成する電磁干渉（ＥＭＩ：Ｅｌｅｃｔｒｏ  Ｍａｇｎｅｔｉｃ  Ｉｎｔｅｒｆｅｒｅｎｃｅ）も増大させるおそれがある。このため、スイッチング素子にはサージ電圧の抑制を行う保護回路を付設するようにしており、いわゆるスナバ回路を付設することが行われている。
【０００３】
スナバ回路は、例えば特許文献１などに見られるように、コンデンサと抵抗を直列に接続したものをスイッチング素子の両端に渡すＲＣスナバ回路がよく知られている。ＲＣスナバ回路は構成が簡素であり、回路定数を適正に選定することによりサージ電圧の抑制作用を確実に得ることができて好まれている。
【先行技術文献】
【特許文献】
【０００４】
【特許文献１】特開平９−２０５７７１号公報
【発明の概要】
【発明が解決しようとする課題】
【０００５】
ところで近年は、液晶ディスプレイにあっては大型化に伴いバックライトも本数を増して多灯化が進められている。このバックライトには、冷陰極蛍光管（ＣＣＦＬ：Ｃｏｌｄ−Ｃａｔｈｏｄｅ  Ｆｌｕｏｒｅｓｃｅｎｔ  Ｌａｍｐ）を使用してスイッチング電源により駆動し、点灯させる構成が一般的である。このとき、基本的には１つのスイッチング素子に対して１つのスナバ回路を付設しているため、多灯化のためスイッチング素子が多数となると、当然ながらスナバ回路も多数を必要とし、部品点数が増すという課題がある。
【課題を解決するための手段】
【０００６】
上記の課題を解決するため、本発明のスナバ回路は、２つのスイッチング素子を対にして誘導性負荷へ接続して交互にオン・オフ動作させるプッシュプル回路における当該スイッチング素子のスイッチング動作に伴うサージ電圧を抑制するためのスナバ回路を前提とする。そして、（１）２つの抵抗と１つのコンデンサとを備えて当該３つの回路素子は１つの接続点から３方へ延びるスター接続に接続するとともに、抵抗の他端をスイッチング素子の負荷側へそれぞれ連結し、コンデンサの他端を誘導性負荷のコモン端子へ連結する構成にする。
【０００７】
（２）また、上記の前提において、２つのコンデンサと１つの抵抗とを備えて当該３つの回路素子は１つの接続点から３方へ延びるスター接続に接続するとともに、コンデンサの他端をスイッチング素子の負荷側へそれぞれ連結し、抵抗の他端を誘導性負荷のコモン端子へ連結する構成にすることもできる。
【０００８】
（３）本発明のプッシュプル回路は、２つのスイッチング素子を対にして誘導性負荷へ接続して交互にオン・オフ動作させるプッシュプル回路において、上記の（１）または（２）のスナバ回路を備えることである。
【０００９】
係る構成にすることにより本発明では、２つのスイッチング素子は交互にオン・オフ動作する構成（プッシュプル）になっているため、３つの回路素子は２つのスイッチング素子それぞれの側から見てコンデンサと抵抗を直列に接続したＲＣスナバ回路になる。これにより、２つのスイッチング素子で１つのコンデンサあるいは抵抗を共有して使うことになり、２つのスイッチング素子それぞれにおいて、スイッチング動作に伴うサージエネルギをコンデンサへ充電（吸収）させることができ、コンデンサへ蓄積したサージエネルギは交互切り替え動作のデッドタイム期間およびそれ以降にそれぞれの抵抗を通して発熱により減衰（放出）する動作になる。
【発明の効果】
【００１０】
本発明では、抵抗，コンデンサによる３つの回路素子は２つのスイッチング素子それぞれの側から見てコンデンサと抵抗を直列に接続したＲＣスナバ回路になり、２つのスイッチング素子で１つのコンデンサあるいは抵抗を共有して使うことになる。このため、部品点数を低減でき、コスト面に有利性があってスイッチング素子を多数備える構成のスイッチング電源等へ好ましく適用できる。
【図面の簡単な説明】
【００１１】
【図１】本発明の好適な一実施形態を示す回路図である。
【図２】本発明の他の実施形態を示す回路図である。
【発明を実施するための形態】
【００１２】
図１は本発明の好適な一実施形態を示している。同図に示す回路はスイッチング電源の要部であり、２つのスイッチング素子Ｓ１，Ｓ２とトランスＴとを備えてプッシュプル回路の構成になっている。つまり、２つのスイッチング素子Ｓ１，Ｓ２はトランスＴの１次側の各端へそれぞれ接続して対をなし、トランスＴの１次側の中央端子（コモン端子）は回路電源Ｖccへ接続させ、スイッチング素子Ｓ１，Ｓ２を交互にオン・オフ動作させるようになっている。スイッチング素子Ｓ１，Ｓ２にはトランジスタを用いることができ、これは例えばＭＯＳＦＥＴなどを使用することも好ましい。
【００１３】
本形態においてスナバ回路は、２つの抵抗Ｒ１，Ｒ２と１つのコンデンサＣとを備えていて、当該３つの回路素子は１つの接続点から３方へ延びるスター接続に接続するとともに、抵抗Ｒ１，Ｒ２の他端をスイッチング素子Ｓ１，Ｓ２の負荷側へそれぞれ連結し、コンデンサＣの他端をトランスＴの１次側のコモン端子へ連結する構成になっている。
【００１４】
この場合、２つのスイッチング素子Ｓ１，Ｓ２は交互にオン・オフ動作する構成（プッシュプル）になっているため、３つの回路素子Ｃ，Ｒ１，Ｒ２はそれぞれの側から見てコンデンサと抵抗を直列に接続したＲＣスナバ回路になる。プッシュプル回路において対のスイッチング素子Ｓ１，Ｓ２は交互にオン・オフ動作を行い、交互の切り替え動作では両者が同時にオフする期間（デッドタイム）を設ける動作になっていて両者が同時にオンになることはない。したがって、スイッチング動作において、スイッチング素子Ｓ１側では抵抗Ｒ１，コンデンサＣが直列に接続したＲＣスナバ回路となり、スイッチング素子Ｓ２側では抵抗Ｒ２，コンデンサＣが直列に接続したＲＣスナバ回路となり、２つのスイッチング素子Ｓ１，Ｓ２で１つのコンデンサＣを共有して使うことになる。
【００１５】
これにより、２つのスイッチング素子Ｓ１，Ｓ２それぞれにおいて、スイッチング動作に伴うサージエネルギをコンデンサＣへ充電（吸収）させることができ、コンデンサＣへ蓄積したサージエネルギは交互切り替え動作のデッドタイム期間およびそれ以降にそれぞれの抵抗Ｒ１，Ｒ２を通して発熱により減衰（放出）する動作になる。
【００１６】
このように本発明では、２つのスイッチング素子Ｓ１，Ｓ２で１つのコンデンサＣを共有して使うことになり、部品点数を減らすことができる。したがって、スイッチング素子を多数備える構成のスイッチング電源等へ好ましく適用でき、コストの低減が図れる。よって、多灯化が進められているバックライト用のスイッチング電源などでは部品点数の削減効果が大きく、コストの低減を大いに期待できる。
【００１７】
上述したように、図１のスナバ回路は基本的にはＲＣスナバ回路に他ならず、したがって本発明にあっては、図２に示すように、抵抗，コンデンサを入れ替えた構成を採ることができる。
【００１８】
図２に示すスナバ回路は、２つのコンデンサＣ１，Ｃ２と１つの抵抗Ｒとを備えていて、当該３つの回路素子は１つの接続点から３方へ延びるスター接続に接続するとともに、コンデンサＣ１，Ｃ２の他端をスイッチング素子Ｓ１，Ｓ２の負荷側へそれぞれ連結し、抵抗Ｒの他端をトランスＴの１次側のコモン端子へ連結する構成になっている。
【００１９】
この場合、２つのスイッチング素子Ｓ１，Ｓ２で１つの抵抗Ｒを共有して使うことになり、部品点数を減らすことができる。したがって、図１に示す構成のスナバ回路と同様の作用効果を奏することができる。
【符号の説明】
【００２０】
Ｓ１，Ｓ２  スイッチング素子
Ｒ，Ｒ１，Ｒ２  抵抗
Ｃ，Ｃ１，Ｃ２  コンデンサ
Ｔ    トランス
【図１】
2010206935.tif 000003
【図２】
2010206935.tif 000004